(57)【要約】【課題】複数の送信機器が、それぞれＨＤＭＩ（登録商標）インタフェースを介して受信機器に接続された通信システムで、各送信機器が取得する通信用アドレスが一意に固定されるようにする。【解決手段】初期状態では、システム全体のＨＤＭＩインタフェースのＣＥＣコントロール機能が無効にされている。ＴＶ受信機１０は、ユーザの指示によって、システム全体のＣＥＣコントロール機能を有効にする。このとき、レコーダＡ，Ｂ，Ｃ，Ｄは、それぞれの接続位置に応じて決定される、互いに異なる取得開始タイミングにおいて、通信用アドレスの取得処理を開始し、レコーダＡ，Ｂ，Ｃが、互いに異なる通信用アドレスを取得する。システム全体のＣＥＣコントロール機能を無効にした後、再び有効にしたとき、レコーダＡ，Ｂ，Ｃは、それぞれ前回と同じ通信用アドレスを取得する。【選択図】図５
2009071396.tif 000002
【特許請求の範囲】
【請求項１】
複数の送信機器が、それぞれ制御線による双方向のコントロール機能を有するデジタルインタフェースを介して受信機器に接続された通信システムにおいて、各送信機器に通信用アドレスを設定する方法であって、
上記受信機器で当該通信システム全体の上記コントロール機能を有効にする設定が実行されたとき、上記複数の送信機器は、それぞれの接続位置に応じて決定される、互いに異なる取得開始タイミングにおいて、通信用アドレスの取得処理を開始して、取得開始タイミングが早い順に、互いに異なる通信用アドレスを取得することを特徴とするアドレス設定方法。
【請求項２】
請求項１のアドレス設定方法において、
上記設定が実行された時点をｔｏ、当該送信機器の接続位置に応じて決定される時間をＴｘ、所定時間をＴｏとして、当該送信機器の取得開始タイミングｔｘを、過去に通信用アドレスを取得したことがない送信機器については、ｔｘ＝ｔｏ＋Ｔｘ＋Ｔｏとし、過去に通信用アドレスを取得したことがある送信機器については、ｔｘ＝ｔｏ＋Ｔｘとすることを特徴とするアドレス設定方法。
【請求項３】
請求項１のアドレス設定方法において、
上記デジタルインタフェースは、ＨＤＭＩ（登録商標で、Ｈｉｇｈ−Ｄｅｆｉｎｉｔｉｏｎ  Ｍｕｌｔｉｍｅｄｉａ  Ｉｎｔｅｒｆａｃｅ（登録商標）の略）インタフェースであることを特徴とするアドレス設定方法。
【請求項４】
受信機器と、それぞれ制御線による双方向のコントロール機能を有するデジタルインタフェースを介して上記受信機器に接続された複数の送信機器とを備え、
上記複数の送信機器は、上記受信機器で当該通信システム全体の上記コントロール機能を有効にする設定が実行されたとき、それぞれの接続位置に応じて決定される、互いに異なる取得開始タイミングにおいて、通信用アドレスの取得処理を開始して、取得開始タイミングが早い順に、互いに異なる通信用アドレスを取得することを特徴とする通信システム。
【請求項５】
請求項４の通信システムにおいて、
上記設定が実行された時点をｔｏ、当該送信機器の接続位置に応じて決定される時間をＴｘ、所定時間をＴｏとして、当該送信機器の取得開始タイミングｔｘが、過去に通信用アドレスを取得したことがない送信機器については、ｔｘ＝ｔｏ＋Ｔｘ＋Ｔｏとされ、過去に通信用アドレスを取得したことがある送信機器については、ｔｘ＝ｔｏ＋Ｔｘとされることを特徴とする通信システム。
【請求項６】
請求項４の通信システムにおいて、
上記デジタルインタフェースは、ＨＤＭＩインタフェースであることを特徴とする通信システム。
【請求項７】
制御線による双方向のコントロール機能を有するデジタルインタフェースを介して受信機器に接続される送信機器であって、
制御手段と、上記デジタルインタフェースの当該送信機器におけるインタフェース部分を構成するインタフェース手段とを備え、
上記制御手段は、当該送信機器が上記受信機器に接続されて通信システムが構築されている状態で、上記受信機器で当該通信システム全体の上記コントロール機能を有効にする設定が実行されたとき、当該送信機器の接続位置に応じて決定される、同じ受信機器に接続された他の送信機器の取得開始タイミングとは異なる取得開始タイミングにおいて、通信用アドレスの取得処理を開始して、通信用アドレスを取得することを特徴とする送信機器。
【請求項８】
請求項７の送信機器において、
上記制御手段は、上記設定が実行された時点をｔｏ、当該送信機器の接続位置に応じて決定される時間をＴｘ、所定時間をＴｏとして、当該送信機器の取得開始タイミングｔｘを、当該送信機器が過去に通信用アドレスを取得したことがないときには、ｔｘ＝ｔｏ＋Ｔｘ＋Ｔｏとし、当該送信機器が過去に通信用アドレスを取得したことがあるときには、ｔｘ＝ｔｏ＋Ｔｘとすることを特徴とする送信機器。
【請求項９】
請求項７の送信機器において、
上記デジタルインタフェースは、ＨＤＭＩインタフェースであることを特徴とする送信機器。
【請求項１０】
制御線による双方向のコントロール機能を有するデジタルインタフェースを介して受信機器に接続される送信機器に搭載されたコンピュータを、
当該送信機器が上記受信機器に接続されて通信システムが構築されている状態で、上記受信機器で当該通信システム全体の上記コントロール機能を有効にする設定が実行されたとき、当該送信機器の接続位置に応じて決定される、同じ受信機器に接続された他の送信機器の取得開始タイミングとは異なる取得開始タイミングにおいて、通信用アドレスの取得処理を開始して、通信用アドレスを取得する手段、
として機能させることを特徴とするアドレス取得用プログラム。
【請求項１１】
請求項１０のアドレス取得用プログラムにおいて、
上記設定が実行された時点をｔｏ、当該送信機器の接続位置に応じて決定される時間をＴｘ、所定時間をＴｏとして、当該送信機器の取得開始タイミングｔｘを、当該送信機器が過去に通信用アドレスを取得したことがないときには、ｔｘ＝ｔｏ＋Ｔｘ＋Ｔｏとし、当該送信機器が過去に通信用アドレスを取得したことがあるときには、ｔｘ＝ｔｏ＋Ｔｘとすることを特徴とするアドレス取得用プログラム。
【発明の詳細な説明】
【技術分野】
【０００１】
この発明は、ＴＶ（テレビジョン）受信機などの受信機器とレコーダやプレーヤなどの送信機器とによって構成される通信システム、この通信システムの各送信機器に通信用アドレスを設定する方法、および通信システムを構成する送信機器に関する。
【背景技術】
【０００２】
ＴＶ受信機に、ハードディスクレコーダなどのレコーダや、ＤＶＤプレーヤなどのプレーヤを接続して、レコーダやプレーヤで得られる映像データや音声データなどのデジタル信号を、レコーダやプレーヤからＴＶ受信機に送信する場合の、ＴＶ受信機とレコーダやプレーヤとの接続には、ＨＤＭＩ（登録商標で、Ｈｉｇｈ−Ｄｅｆｉｎｉｔｉｏｎ  Ｍｕｌｔｉｍｅｄｉａ  Ｉｎｔｅｒｆａｃｅ（登録商標）の略）規格のデジタルインタフェースであるＨＤＭＩインタフェースが用いられることが多い。
【０００３】
ＨＤＭＩインタフェースでは、映像データや音声データなどのデジタル信号を、レコーダやプレーヤなどの送信機器からＴＶ受信機に高速で送信できるだけでなく、ＨＤＭＩケーブルのＣＥＣ（Ｃｏｎｓｕｍｅｒ  Ｅｌｅｃｔｒｏｎｉｃｓ  Ｃｏｎｔｒｏｌ）線を利用して、送信機器からＴＶ受信機を制御することもでき、例えば、プレーヤの再生ボタンを押下することによって、待機電源で駆動されているＴＶ受信機の主電源をオンにすることができる。
【０００４】
特許文献１（特開２００６−３１９５０３号公報）には、記録再生装置をＨＤＭＩインタフェースによってＴＶ受信機に接続して、記録再生装置で得られた映像信号をＴＶ受信機に送信して、ＴＶ受信機のディスプレイ上に映像を表示する場合に、記録再生装置において、映像信号をＨＤＭＩフォーマットに変換するとともに、映像信号のアスペクト比を検出し、検出されたアスペクト比を示す情報を変換後の映像信号に記録することが示されている。
【０００５】
また、特許文献２（特開２００７−１０８１９８号公報）には、ソース機器としての画像処理装置を、ＨＤＭＩインタフェースを介してシンク機器としてのモニタに接続して、画像処理装置で得られた画像信号および音声信号をモニタに供給する場合に、画像処理装置は、モニタから取得したＥＤＩＤ（Ｅｘｔｅｎｄｅｄ  Ｄｉｓｐｌａｙ  Ｉｄｅｎｔｉｆｉｃａｔｉｏｎ  Ｄａｔａ）に基づいて、モニタが受け入れ可能な画像信号および音声信号のフォーマットを示したフォーマット設定画面のデータを生成し、モニタに供給して、モニタにフォーマット設定画面を表示させ、ユーザにフォーマットを選択させて、画像信号および音声信号を、ユーザが選択したフォーマットに変換してモニタに供給することが示されている。
【０００６】
上に挙げた先行技術文献は、以下の通りである。
【特許文献１】特開２００６−３１９５０３号公報
【特許文献２】特開２００７−１０８１９８号公報
【発明の開示】
【発明が解決しようとする課題】
【０００７】
ユーザが、レコーダなどの複数の送信機器を、それぞれＨＤＭＩインタフェースを介してＴＶ受信機に接続して、通信システムを構築したとき、ユーザのＴＶ受信機に対する操作によって、ＴＶ受信機がシステム全体のＨＤＭＩインタフェースのＣＥＣコントロール機能を、その都度、有効にし、または無効にするように、システムを構成すると、便利である。
【０００８】
例えば、普段、当該システムを使用するときには、ＣＥＣコントロール機能を有効にして、送信機器での操作によってＴＶ受信機を制御できるようにし、当該システムを使用しないときには、ＣＥＣコントロール機能を無効にし、消費電力を低減する、などである。
【０００９】
しかし、この場合、ＴＶ受信機がシステム全体のＣＥＣコントロール機能を有効にしたとき、ＴＶ受信機に接続された各送信機器は、一斉に通信用アドレスの取得処理を開始して、同時に通信用アドレスを取得するため、各送信機器が取得する通信用アドレスが固定されず、ＣＥＣコントロール機能を有効にする設定が実行されるたびに異なってしまうことがある。
【００１０】
具体的に、ＨＤＭＩ規格では、通信用アドレスであるＩＤとして、ＴＶ受信機に対してはＩＤ＝０が割り当てられ、レコーダに対してはＩＤ＝１，２，９が割り当てられているが、３台のレコーダＡ，Ｂ，Ｃが接続されている場合、ある回の設定時には、レコーダＡがＩＤ＝１を、レコーダＢがＩＤ＝２を、レコーダＣがＩＤ＝９を、それぞれ取得し、次回の設定時には、レコーダＡがＩＤ＝９を、レコーダＢがＩＤ＝１を、レコーダＣがＩＤ＝２を、それぞれ取得する、という結果となってしまうことがある。
【００１１】
ＨＤＭＩ規格上も、ある機器が一度取得したＩＤは、次回の取得時にも当該機器が優先して取得することが推奨されており、上記のような結果となるのは、好ましくない。
【００１２】
そこで、この発明は、各送信機器が取得する通信用アドレスが一意に固定されるようにしたものである。
【課題を解決するための手段】
【００１３】
この発明のアドレス設定方法は、
複数の送信機器が、それぞれ制御線による双方向のコントロール機能を有するデジタルインタフェースを介して受信機器に接続された通信システムにおいて、各送信機器に通信用アドレスを設定する方法であって、
上記受信機器で当該通信システム全体の上記コントロール機能を有効にする設定が実行されたとき、上記複数の送信機器は、それぞれの接続位置に応じて決定される、互いに異なる取得開始タイミングにおいて、通信用アドレスの取得処理を開始して、取得開始タイミングが早い順に、互いに異なる通信用アドレスを取得することを特徴とする。
【発明の効果】
【００１４】
この発明によれば、受信機器でシステム全体のデジタルインタフェースのコントロール機能を有効にする設定が実行されたとき、受信機器に接続された各送信機器は、一斉に通信用アドレスの取得処理を開始しないで、それぞれの接続位置に応じた順序で通信用アドレスの取得処理を開始するので、各送信機器が取得する通信用アドレスが一意に固定されるようになる。
【発明を実施するための最良の形態】
【００１５】
［１．通信システムの一例：図１および図２］
図１は、この発明の通信システムの一例を示す。
【００１６】
この例の通信システムは、ＨＤＭＩ対応の機器として、ＴＶ受信機１０、レコーダ３０，５１，５２，５３およびＡＶ（Ａｕｄｉｏ  ａｎｄ  Ｖｉｓｕａｌ）アンプ７０を備え、レコーダ３０が、ＨＤＭＩケーブル４１によってＴＶ受信機１０に接続され、レコーダ５１，５２および５３が、それぞれＨＤＭＩケーブル６１，６２および６３によってＡＶアンプ７０に接続され、ＡＶアンプ７０が、ＨＤＭＩケーブル８１によってＴＶ受信機１０に接続されたものである。
【００１７】
ＨＤＭＩケーブル４１，６１，６２，６３および８１は、いずれもＣＥＣ（Ｃｏｎｓｕｍｅｒ  Ｅｌｅｃｔｒｏｎｉｃｓ  Ｃｏｎｔｒｏｌ）線を有するものである。
【００１８】
以下では、理解を容易にするため、レコーダ３０をレコーダＡ、レコーダ５１をレコーダＢ、レコーダ５２をレコーダＣ、レコーダ５３をレコーダＤとする。
【００１９】
図２に、図１の例の通信システム中の、一部の機器の内部構成の一例を示す。
【００２０】
ＴＶ受信機１０は、制御部１１を備える。制御部１１は、ＣＰＵ、プログラムやデータが格納される記憶部、およびプログラムやデータが展開されるＲＡＭなどによって構成され、ＴＶ受信機１０全体を制御する。
【００２１】
制御部１１のバス１２には、チューナ１３、映像処理部１５および音声処理部１７が接続され、チューナ１３には、ＴＶアンテナ１４が接続され、映像処理部１５には、液晶ディスプレイなどのディスプレイ１６が接続され、音声処理部１７には、スピーカ１８Ｌおよび１８Ｒが接続される。
【００２２】
また、バス１２には、リモートコントローラ２１から送信された赤外線信号を受信する赤外線受光部１９が接続される。
【００２３】
また、バス１２には、ＨＤＭＩレシーバ２３および制御部２４が接続される。制御部２４は、制御部１１の制御のもとにＨＤＭＩレシーバ２３を制御するもので、制御部２４内のＲＯＭには、ＨＤＭＩレシーバ２３の入力ポート２５および２６のアドレスが書き込まれる。入力ポート２５および２６には、ＨＤＭＩコネクタ２７および２８が接続される。
【００２４】
レコーダＡは、ビデオカメラやパーソナルコンピュータなどの外部機器で得られるデジタル信号、または外部メモリに記録されたデジタル信号を、メディア３１に記録し、メディア３１から再生できるもので、メディア３１は、レコーダＡに内蔵されたハードディスクや、レコーダＡに装填されるＤＶＤなどである。
【００２５】
メディア３１は、書き込み読み出し用のヘッドなどを含むドライブ３２によって、駆動されるとともに、信号が書き込まれ、読み出される。
【００２６】
再生時には、その読み出された信号が、ＤＳＰ（Ｄｉｇｉｔａｌ  Ｓｉｇｎａｌ  Ｐｒｏｃｅｓｓｏｒ）３３で処理されて、ＨＤＭＩトランスミッタ３４に出力される。
【００２７】
ドライブ３２、ＤＳＰ３３およびＨＤＭＩトランスミッタ３４は、制御部３５によって制御される。制御部３５は、ＣＰＵ、プログラムやデータが格納される記憶部、およびプログラムやデータが展開されるＲＡＭによって構成される。
【００２８】
ＨＤＭＩトランスミッタ３４の出力ポートには、ＨＤＭＩコネクタ３６が接続され、このＨＤＭＩコネクタ３６とＴＶ受信機１０側のＨＤＭＩコネクタ２８とが、ＨＤＭＩケーブル４１によって接続される。
【００２９】
レコーダＢ，Ｃ，Ｄは、それぞれレコーダＡと同様の構成である。
【００３０】
ＡＶアンプ７０は、ＨＤＭＩレシーバ７４、ＤＳＰ７５、ＨＤＭＩトランスミッタ７６および制御部７７を備え、制御部７７内のＲＯＭには、ＨＤＭＩレシーバ７４の入力ポート７１，７２および７３のアドレスが書き込まれる。
【００３１】
レコーダＢ，Ｃ，ＤからＡＶアンプ７０に送信された信号は、それぞれ、ＨＤＭＩレシーバ７４で受信され、ＤＳＰ７５で処理されて、ＨＤＭＩトランスミッタ７６に出力される。
【００３２】
ＨＤＭＩトランスミッタ７６の出力ポートには、ＨＤＭＩコネクタ７８が接続され、このＨＤＭＩコネクタ７８とＴＶ受信機１０側のＨＤＭＩコネクタ２７とが、ＨＤＭＩケーブル８１によって接続される。
【００３３】
なお、この例のようにレコーダＢ，Ｃ，Ｄからのデジタル信号をＡＶアンプ７０を介してＴＶ受信機１０に送信する場合、音声信号はＡＶアンプ７０から出力されるように構成することもできる。
【００３４】
［２．ＨＤＭＩコントロールの設定と通信用アドレスの取得：図３〜図７］
上記の例の通信システムでは、ＴＶ受信機１０は、代表機器として、システム全体のＣＥＣコントロール機能を一括してオン・オフ設定できるものとする。以下では、この設定をＨＤＭＩコントロール設定とする。
【００３５】
各機器の出荷時には、初期状態として、ＣＥＣコントロール機能が無効とされ、ＣＥＣコントロールが機能しないオフ状態とされる。
【００３６】
ユーザが、この初期状態で、図１のように各機器を接続してシステムを構築し、オン状態、すなわちＣＥＣコントロールが機能する状態にするときには、ユーザは、リモートコントローラ２１での操作によって、図３に示すように、ＴＶ受信機１０のディスプレイ１６上に設定画面１を表示させる。
【００３７】
このとき、各機器は、図示するように接続されていることによって、物理アドレスは取得しているが、ＨＤＭＩコントロール設定がオフ状態であるため、通信用アドレスであるＩＤは取得していない状態にあり、設定画面１中の機器一覧には、いずれのレコーダも表示されない。
【００３８】
この場合の物理アドレスは、機器に固有のものではなく、当該機器の接続位置に応じて決定される。接続位置には、図示するようなツリー階層接続における接続階層を含む。
【００３９】
具体的に、ＴＶ受信機１０は、代表機器であるので、ＴＶ受信機１０の物理アドレスは、あらかじめ定められた値（0.0.0.0）である。
【００４０】
ＡＶアンプ７０は、ツリー階層接続における第１層の機器として、ＴＶ受信機１０の図２に示した入力ポート２５に接続されているので、ＡＶアンプ７０の物理アドレスは、入力ポート２５のアドレスである（1.0.0.0）とされる。
【００４１】
レコーダＡは、ツリー階層接続における第１層の機器として、ＴＶ受信機１０の図２に示した入力ポート２６に接続されているので、レコーダＡの物理アドレスは、入力ポート２６のアドレスである（2.0.0.0）とされる。
【００４２】
レコーダＢは、ツリー階層接続における第２層の機器として、ＡＶアンプ７０の図２に示した入力ポート７１を介してＴＶ受信機１０の入力ポート２５に接続されているので、レコーダＢの物理アドレスは、入力ポート２５のアドレスと入力ポート７１のアドレスとから、（1.1.0.0）とされる。
【００４３】
レコーダＢと同様に、レコーダＣの物理アドレスは（1.2.0.0）とされ、レコーダＤの物理アドレスは（1.3.0.0）とされる。
【００４４】
図３の状態で、ユーザが設定画面１の案内に従ってＨＤＭＩコントロール設定オンを指示すると、ＴＶ受信機１０の制御部１１は、図４に示すように設定画面１の表示を切り換え、ＨＤＭＩコントロール設定のオン設定を実行する。すなわち、システム全体のＣＥＣコントロール機能を有効とし、ＣＥＣコントロールを機能させる。
【００４５】
さらに、ＴＶ受信機１０は、オン設定を実行したら、その旨をレコーダＡ，Ｂ，Ｃ，Ｄに通知する。これによって、レコーダＡ，Ｂ，Ｃ，Ｄは、通信用アドレスであるＩＤを取得しうるようになる。
【００４６】
なお、ＨＤＭＩ規格では、ＴＶ受信機に対してＩＤ＝０が割り当てられているので、ＴＶ受信機１０は自身でＩＤを取得し、ＴＶ受信機１０のＩＤはＩＤ＝０となる。また、ＡＶアンプ７０は、この例のシステム構成では、レコーダＢ，Ｃ，ＤとＴＶ受信機１０との間を中継しているだけであるので、ＩＤを取得しない。
【００４７】
ＴＶ受信機１０からオン設定が実行されたことが通知されたら、レコーダＡ，Ｂ，Ｃ，Ｄは、それぞれ、自身の待ち時間として、自身の接続位置に応じた時間Ｔｘを決定する。自身の接続位置は、自身の物理アドレスから判断することができる。
【００４８】
具体的に、レコーダＡは、物理アドレスが（2.0.0.0）であるので、あらかじめ定められた計算式による計算によって、または図２に示した制御部３５内のＲＯＭに書き込まれている参照テーブルから、Ｔｘを０．５秒とする。
【００４９】
同様に、レコーダＢは、物理アドレスが（1.1.0.0）であるので、Ｔｘを０．７５秒とし、レコーダＣは、物理アドレスが（1.2.0.0）であるので、Ｔｘを１．３秒とし、レコーダＤは、物理アドレスが（1.3.0.0）であるので、Ｔｘを１．８秒とする。
【００５０】
すなわち、この例では、時間Ｔｘは、接続階層が上層であるものほど短くし、接続階層が同じであれば、それぞれの間で異なるものとする。
【００５１】
そして、ＴＶ受信機１０でオン設定が実行された（ＴＶ受信機１０からオン設定が実行されたことが通知された）時点をｔｏとすると、レコーダＡ，Ｂ，Ｃ，Ｄは、それぞれ、ｔｘ＝ｔｏ＋Ｔｘ＋Ｔｏで表される、時点ｔｏに対して時間（Ｔｘ＋Ｔｏ）だけ遅れた時点を、取得開始タイミングとして、ＴＶ受信機１０との間のＩＤ取得処理を開始する。
【００５２】
Ｔｏは、所定時間で、例えば１秒とする。Ｔｏは、後述のように、再設定時、過去にＩＤを取得したことがある機器については、待ち時間に算入しない（ゼロとする）が、図４の場合は、各レコーダが初めてＩＤを取得する場合であるので、待ち時間に算入する。
【００５３】
その結果、レコーダＡの待ち時間は１．５秒、レコーダＢの待ち時間は１．７５秒、レコーダＣの待ち時間は２．３秒、レコーダＤの待ち時間は２．８秒となり、レコーダＡが最初にＩＤ取得処理を開始し、レコーダＢが２番目にＩＤ取得処理を開始し、レコーダＣが３番目にＩＤ取得処理を開始し、レコーダＤが最後にＩＤ取得処理を開始する。
【００５４】
ＴＶ受信機１０との間のＩＤ取得処理は、レコーダからＴＶ受信機１０にＩＤを要求し、これに応答してＴＶ受信機１０が、レコーダに割り当て可能なＩＤを順次選択して、要求元のレコーダに送信するものである。
【００５５】
上述したように、ＨＤＭＩ規格では、レコーダに対してはＩＤがＩＤ＝１，２，９の３つ割り当てられている。
【００５６】
そのため、この場合、図５に示すように、レコーダＡはＩＤ＝１を取得し、レコーダＢはＩＤ＝２を取得し、レコーダＣはＩＤ＝９を取得し、最後に取得処理を開始したレコーダＤはＩＤを取得することができない。
【００５７】
すなわち、ＴＶ受信機１０から見て先着順に、ＨＤＭＩ規格で認められた台数の範囲内のレコーダがＩＤを取得することができる。
【００５８】
レコーダＡ，Ｂ，ＣがＩＤを取得すると、設定画面１には、各レコーダが取得したＩＤが取得順に表示される。
【００５９】
ユーザは、以上のようにＨＤＭＩコントロール設定をオン状態に設定にした後、一旦、オフ状態に戻し、その後、再びオン状態に設定することができる。
【００６０】
ＨＤＭＩコントロール設定をオフ状態に戻すと、レコーダＡ，Ｂ，Ｃに対するＩＤの設定は解除され、図３に示した初期状態と同じになるが、レコーダＡ，Ｂ，Ｃが過去にＩＤを取得したことがあるという履歴およびその取得したＩＤは、それぞれの制御部内の記憶部に記録される。
【００６１】
この状態から、上記のようにユーザがＨＤＭＩコントロール設定オンを指示すると、ＴＶ受信機１０の制御部１１は、上記のようにＨＤＭＩコントロール設定のオン設定を実行し、さらに、そのオン設定が実行されたら、レコーダＡ，Ｂ，Ｃ，Ｄは、上記のように、それぞれ、自身の待ち時間として、自身の接続位置に応じた時間Ｔｘを決定する。
【００６２】
この場合、レコーダＡ，Ｂ，Ｃ，Ｄの接続位置は変わらないので、図６に示すように、時間Ｔｘも、図４および図５の場合と変わらない。
【００６３】
しかし、この場合は、オン状態の再設定であり、レコーダＡ，Ｂ，Ｃは、それぞれ、過去にＩＤを取得したことがあるので、上記の所定時間Ｔｏを待ち時間に算入しないで、ｔｘ＝ｔｏ＋Ｔｘで表される、ＴＶ受信機１０でオン設定が実行された（ＴＶ受信機１０からオン設定が実行されたことが通知された）時点ｔｏに対して時間Ｔｘだけ遅れた時点を、取得開始タイミングとして、前回取得したＩＤからＩＤを再取得するように、ＴＶ受信機１０との間のＩＤ取得処理を開始する。
【００６４】
これに対して、レコーダＤは、過去にＩＤを取得したことがないので、所定時間Ｔｏを待ち時間に算入して、図４および図５の場合と同様に、ｔｘ＝ｔｏ＋Ｔｘ＋Ｔｏで表される、時点ｔｏに対して時間（Ｔｘ＋Ｔｏ）だけ遅れた時点を、取得開始タイミングとして、ＴＶ受信機１０との間のＩＤ取得処理を開始する。上記のように、Ｔｏは、例えば１秒である。
【００６５】
その結果、レコーダＡの待ち時間は０．５秒、レコーダＢの待ち時間は０．７５秒、レコーダＣの待ち時間は１．３秒、レコーダＤの待ち時間は２．８秒となり、レコーダＡが最初にＩＤ取得処理を開始し、レコーダＢが２番目にＩＤ取得処理を開始し、レコーダＣが３番目にＩＤ取得処理を開始し、レコーダＤが最後にＩＤ取得処理を開始する。
【００６６】
したがって、レコーダＡはＩＤ＝１を取得し、レコーダＢはＩＤ＝２を取得し、レコーダＣはＩＤ＝９を取得し、最後に取得処理を開始したレコーダＤはＩＤを取得することができない。
【００６７】
すなわち、オン状態の再設定時には、各レコーダのＩＤ取得開始タイミングの先後の関係が最初の設定時と同じになるだけでなく、レコーダＡ，Ｂ，ＣのＩＤ取得開始タイミングが最初の設定時より早くなるので、レコーダＡ，Ｂ，Ｃは、最初の設定時と同じＩＤを、確実に取得することができる。次回以降のオン状態の設定時も、以上の再設定時と同じである。
【００６８】
図７に、各レコーダの制御部が実行する取得開始タイミング決定処理および待機処理の一例を示す。
【００６９】
各レコーダは、まずステップ９１で、ＴＶ受信機１０からの通知の有無によって、ＨＤＭＩコントロール設定のオン設定が実行されたか否かを判断し、オン設定が実行されたと判断したときには、ステップ９２に進んで、上記のように自身の接続位置に応じた時間Ｔｘを決定する。
【００７０】
さらに、各レコーダは、ステップ９３に進んで、自身が過去に通信用アドレスを取得したことがあるか否かを判断する。
【００７１】
そして、上記の最初の設定時のレコーダＡ，Ｂ，Ｃ，Ｄ、または上記の再設定時のレコーダＤのように、過去に通信用アドレスを取得したことがなければ、ステップ９３からステップ９４に進んで、ステップ９１でオン設定が実行されたと判断した時点から計測して、時間（Ｔｘ＋Ｔｏ）だけ待って、通信用アドレス取得処理ルーチン１００に進んで、通信用アドレス取得処理を開始する。
【００７２】
一方、上記の再設定時のレコーダＡ，Ｂ，Ｃのように、過去に通信用アドレスを取得したことがあれば、ステップ９３からステップ９５に進んで、ステップ９１でオン設定が実行されたと判断した時点から計測して、時間Ｔｘだけ待って、通信用アドレス取得処理ルーチン１００に進んで、通信用アドレス取得処理を開始する。
【００７３】
上記の例のレコーダＤも、通信用アドレス取得処理ルーチン１００で通信用アドレス取得処理を開始するが、結果的に、通信用アドレスを取得することができない。
【００７４】
例えば、図６に示した再設定後に、ユーザが、レコーダＡとレコーダＤとを入れ替えて、図示したレコーダＡの接続位置にレコーダＤを接続し、図示したレコーダＤの接続位置にレコーダＡを接続して、ＨＤＭＩコントロール設定オンを指示すると、レコーダＡ，Ｄの接続位置が入れ替わることによって、レコーダＤの待ち時間は１．５秒、レコーダＢの待ち時間は０．７５秒、レコーダＣの待ち時間は１．３秒、レコーダＡの待ち時間は１．８秒となる。
【００７５】
したがって、この場合も、複数のレコーダが同時にＩＤ取得処理を開始することはなく、この場合は、レコーダＢが最初にＩＤ取得処理を開始し、レコーダＣが２番目にＩＤ取得処理を開始し、レコーダＤが３番目にＩＤ取得処理を開始し、レコーダＡが最後にＩＤ取得処理を開始して、レコーダＢがＩＤ＝２を取得し、レコーダＣがＩＤ＝９を取得し、レコーダＤがＩＤ＝１を取得し、レコーダＡはＩＤを取得することができない。
【００７６】
すなわち、上述した方法では、機器の接続位置の入れ替えに対しても、適切に対応することができる。
【００７７】
また、例えば、図６に示した再設定後に、ユーザが、図示したレコーダＤの接続位置にレコーダＤに代えてプレーヤを接続して、ＨＤＭＩコントロール設定オンを指示すると、レコーダＡの待ち時間が０．５秒、レコーダＢの待ち時間が０．７５秒、レコーダＣの待ち時間が１．３秒、プレーヤの待ち時間が２．８秒となって、プレーヤは最後にＩＤ取得処理を開始する。
【００７８】
しかし、ＨＤＭＩ規格では、プレーヤに対しては、レコーダとは別に、ＩＤがＩＤ＝４，８，１１の３つ割り当てられている。
【００７９】
そのため、レコーダＤに代えて接続されたプレーヤは、レコーダＡ，Ｂ，Ｃとは別に、ＩＤ＝４を取得する。
【００８０】
包括的に示すと、ＨＤＭＩ規格では、機器カテゴリーとして、ＴＶ受信機、レコーダ、チューナ、プレーヤおよびオーディオ機器が規定され、ＩＤとして、ＴＶ受信機に対してはＩＤ＝０が、レコーダに対してはＩＤ＝１，２，９が、チューナに対してはＩＤ＝３，６，７，１０が、プレーヤに対してはＩＤ＝４，８，１１が、それぞれ割り当てられている。
【００８１】
［３．他の実施形態］
上述した例は、ＨＤＭＩインタフェースによって各機器を接続する場合であるが、この発明は、ＨＤＭＩインタフェースに限らず、ＨＤＭＩインタフェースのＣＥＣコントロール機能のように、制御線による双方向のコントロール機能を有し、レコーダやプレーヤなどの送信機器からＴＶ受信機などの受信機器を制御することができるデジタルインタフェースによって各機器を接続する場合にも、適用することができる。
【図面の簡単な説明】
【００８２】
【図１】この発明の通信システムの一例を示す図である。
【図２】一部の機器の内部構成の一例を示す図である。
【図３】初期状態での各機器の状態を示す図である。
【図４】ＨＤＭＩコントロール設定のオン設定を開始したときの各機器の状態を示す図である。
【図５】ＨＤＭＩコントロール設定のオン設定を完了したときの各機器の状態を示す図である。
【図６】オン状態の再設定時の各機器の状態を示す図である。
【図７】各レコーダが実行する取得開始タイミング決定処理および待機処理の一例を示す図である。
【符号の説明】
【００８３】
主要部については図中に全て記述したので、ここでは省略する。
【図１】
2009071396.tif 000003
【図２】
2009071396.tif 000004
【図３】
2009071396.tif 000005
【図４】
2009071396.tif 000006
【図５】
2009071396.tif 000007
【図６】
2009071396.tif 000008
【図７】
2009071396.tif 000009